Podtech/llm-jp-corpus-v4-ja_patent huggingface dataset:
(57)【要約】【課題】多孔質性建築用無機材料の内部に浸み込んだ油脂を効率よく除去する。【解決手段】建築用無機材料を温度１３０〜２００℃、圧力４〜１５気圧、相対湿度８０％以上の水蒸気下で３〜２５時間放置する。オートクレーブ養生により生産された多孔質性建築用無機材料にあっては、油脂が浸み込んだ後に再び高温高圧下で水蒸気雰囲気にさらすこととなる。【選択図】なし【特許請求の範囲】
【請求項１】
内部に油脂が浸み込んでいる多孔質性建築用無機材料を温度１３０〜２００℃、圧力４〜１５気圧、相対湿度８０％以上の水蒸気下で３〜２５時間放置することを特徴とする多孔質性建築用無機材料の内部に浸み込んでいる油脂の除去方法。
【発明の詳細な説明】
【技術分野】
【０００１】
本発明は、多孔質性建築用無機材料の内部に浸み込んだ油脂の除去方法に関するものである。
【背景技術】
【０００２】
コンクリートなどに代表される多孔質性建築用無機材料の表面には自動車の排気ガスや工場のばい煙等に由来する油脂が付着していることがある。これらの建築用無機材料は表面に凹凸があるために内部に油脂が浸み込みやすく、該油脂を除去するためには界面活性剤や有機溶剤、苛性ソーダ等が用いられている。
【０００３】
しかし、界面活性剤、有機溶剤、苛性ソーダ等の薬品を使用した除去方法にあっては、多孔質性建築用無機材料の内部に浸み込んだ油脂を除去するために薬品を浸透させる必要があり、既に内部に浸み込んでいる油脂によって該薬品が効率よく浸透せず、一度に大量の多孔質性建築用無機材料を処理することが困難であるという課題があった（例えば、特許文献１参照）。
【先行技術文献】
【特許文献】
【０００４】
【特許文献１】特開平６−１８４７７９号公報
【発明の概要】
【発明が解決しようとする課題】
【０００５】
解決しようとする問題点は、建築用無機材料の内部に浸み込んだ油脂を効率よく除去する点である。
【課題を解決するための手段】
【０００６】
本発明は、内部に油脂が浸み込んでいる建築用無機材料を温度１３０〜２００℃、圧力４〜１５気圧、相対湿度８０％以上の水蒸気下で３〜２５時間放置することを最も主要な特徴とする。
【発明の効果】
【０００７】
本発明の油脂の除去方法は、多孔質性建築用無機材料の内部に浸み込んだ油脂を効率よく除去することができるという利点がある。
【発明を実施するための形態】
【０００８】
本発明の多孔質性建築用無機材料の内部に浸み込んでいる油脂の除去方法は、該建築用無機材料を温度１３０〜２００℃、圧力４〜１５気圧、相対湿度８０％以上の水蒸気下で３〜２５時間放置することが必要である。
【０００９】
前記多孔質性建築用無機材料は多孔質の建築用無機材料であり、例えばコンクリート２次製品、窯業サイディング板、ケイ酸カルシウム版、石こうスラグボード磁器タイル、陶器タイル、瓦、レンガ等が挙げられる。これらのうち、コンクリート２次製品、窯業サイディング板等は製造時にオートクレーブ養生（高温高圧下で水蒸気雰囲気に置くことによりセメントの硬化を促進させる製造方法）が用いられている場合があるが、本発明は製造後に浸み込んだ油脂の除去方法に関する。したがって、オートクレーブ養生により生産された多孔質性建築用無機材料にあっては、油脂が浸み込んだ後に再び高温高圧下で水蒸気雰囲気にさらすこととなる。
【００１０】
前記油脂は自動車の排気ガスや工場のばい煙等に由来することが多いが、建築用無機材料の製造過程において離型等の目的で意図的に塗られている場合もある。
【００１１】
前記油脂が浸み込んでいると建築用無機材料に後工程で塗装や接着を施すことが困難になる。
【００１２】
前記油脂を除去する場合の温度は１３０〜２００℃であることが必要であり、１５０〜１８０℃であることがより好ましい。
【００１３】
前記油脂を除去する場合の圧力は４〜１５気圧であることが必要であり、７〜１０気圧であることがより好ましい。
【００１４】
前記油脂を除去する場合の相対湿度は８０％以上が必要であり、９０％以上であることがより好ましい。
【００１５】
前記油脂を除去する場合の放置時間は３〜２５時間であることが必要であり、８〜１６時間であることがより好ましい。
【００１６】
前記の温度、圧力、湿度下で建築用無機材料に水蒸気を放置時間作用させることにより、油脂が水蒸気による加水分解を受けて低分子量になり、水に溶解することで除去される。
【００１７】
前記水蒸気の供給源はボイラー等で強制的に供給しても良いし、あらかじめ容器内に水をためておいて該容器内を所定の温度、圧力に設定しても良い。
【００１８】
前記油脂の炭素数は１８以下であることが好ましく、１６以下であることがより好ましい。
【実施例】
【００１９】
以下、実施例及び比較例を挙げて本発明を説明する。試験は油脂が浸み込んでいない建築用無機材料を油脂としてのオレイン酸が満たされた容器内に２４時間浸漬し、取り出して表面のオレイン酸をふき取って試験体とした。その後、所定の試験条件で処理をした後に、試験体表面に水滴を落として水滴が浸み込んだ場合を○、浸み込まないものの試験体を傾けても水滴が流れない場合を△、浸み込みもせず試験体を傾けると水滴が転がり落ちる場合を×とした。また、温度や圧力を上げすぎると熱源を得るための経済性が低下するため、２００℃、１５気圧以下の場合には経済性評価を○、２００℃、１５気圧を超える場合には経済性評価を×とした。放置時間が２５時間以下の場合には生産性評価を○、放置時間が２５時間を超える場合には生産性が低下することから×とした。
【００２０】
実施例１の多孔質性建築用無機材料はコンクリート２次製品としての３００ｍｍ×３００ｍｍ×厚さ５０ｍｍの歩道板であり、試験体を温度１７０℃、圧力８気圧、相対湿度８５％の水蒸気下で１６時間放置した。試験の結果は○、経済性は○、生産性は○だった。
【００２１】
実施例２の多孔質性建築用無機材料は３００ｍｍ×３００ｍｍ×厚さ１２．５ｍｍのケイ酸カルシウム板であり、試験体を温度１４０℃、圧力１１気圧、相対湿度９４％の水蒸気下で８時間放置した。試験の結果は○、経済性は○、生産性は○だった。
【００２２】
実施例３の多孔質性建築用無機材料は１００ｍｍ×１００ｍｍ×厚さ５ｍｍの磁器タイルであり、試験体を温度１８０℃、圧力１０気圧、相対湿度８２％の水蒸気下で２０時間放置した。試験の結果は○、経済性は○、生産性は○だった。
【００２３】
比較例１の多孔質性建築用無機材料は３００ｍｍ×３００ｍｍ×厚さ１５ｍｍの窯業サイディング板であり、試験体を温度１００℃、圧力１０気圧、相対湿度８２％の水蒸気下で１４時間放置した。試験の結果は×、経済性は○、生産性は○だった。
【００２４】
比較例２の多孔質性建築用無機材料は１００ｍｍ×２５０ｍｍ×厚さ５０ｍｍのレンガであり、試験体を温度２２０℃、圧力２０気圧、相対湿度９０％の水蒸気下で２４時間放置した。試験の結果は○、経済性は×、生産性は×だった。
(57)【要約】      （修正有）【課題】近年、自動車もエンジンからハイブリッド、ハイブリッドからモーターへ移行しており、そのうちヘリコプターもその流れをたどると考えられる。日本の空港周辺は民家も密集しているため、モーターで更に静音なリニアモーターヘリコプターを提供する。【解決手段】駆動モーターが起動しプロペラの回転浮力による回転軸上昇時、上部、中部、下部に取り付けられた本体フレームと回転軸部各所に取り付けられた永久磁石の反発で本体フレームと回転軸の接触を減らす機構。【選択図】図２
2018143082.tif 000002
【特許請求の範囲】
【発明の詳細な説明】
【０００１】本発明は永久磁石の反発を利用し本体と回転部の接触を極力減らし静音性の向上を目指したプロペラモーターです。
【発明の概要】
【０００２】プロペラが回転しだすと浮力により回転部が上昇本体、回転部各所に取り付けられた永久磁石が反発しあい回転部の軸以外無接触状態で可動する為、抵抗が極力抑えられ回転力が上がると予想される
【０００３】反発しあう永久磁石を上部、中部、下部に設置したのは回転部の負荷を分散する為で中部、下部は断面図ではハの字型、実際は臼を逆さにしたような形状にし磁力の反発によるブレを低減するための構造にしました。
【発明の効果】
【０００４】近年、自動車もエンジンからハイブリット。
ハイブリットからモーターへ移行しておりそのうちヘリコプターもその流れをたどるのではないかと考えます。
日本の空港周辺は民家も密集しており騒音対策を考え、モーターで更に静音なモーターヘリコプターが出来ればとこの発明を考えました。
2018143082.tif 000003
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
駆動モーター（Ｂ）が起動しプロペラ（Ｃ）の回転浮力による回転軸（Ｅ）上昇時、
上部、中部、下部に取り付けられた本体フレーム（Ｄ）と回転軸部（Ｅ）各所に取り付けられた永久磁石（Ａ）の反発で本体フレーム（Ｄ）と回転軸（Ｅ）の接触を減らす機構。
【手続補正２】
【補正対象書類名】明細書
【補正対象項目名】全文
【補正方法】変更
【補正の内容】
【発明の詳細な説明】
【技術分野】
【０００１】本発明は永久磁石の反発を利用し本体と回転部の接触を極力減らし静音性の向上を目指したプロペラモーターです。
【発明の概要】
【０００２】プロペラ（Ｃ）が回転しだすと浮力により回転軸（Ｅ）が上昇本体、回転部各所に取り付けられた永久磁石（Ａ）が反発しあい回転軸（Ｅ）と本体のフレーム（Ｄ）は、軸部以外無接触状態で可動する。
【０００３】反発しあう永久磁石（Ａ）を上部、中部、下部に設置したのは回転部の負荷を分散する為で中部、下部は断面図ではハの字型、実際は臼を逆さにしたような形状にし磁力の反発によるブレを低減するための構造にしました。
【発明の効果】
【０００４】本体のフレーム（Ｄ）と回転軸（Ｅ）を磁力の反発で極力無接触状態にすることで静音で摩擦による発熱を抑え、回転率が上がると考えられます。
【図面の簡単な説明】
【０００５】
【図１】駆動モーター起動前のプロペラリニアモーター断面図
【図２】駆動モーター起動中のプロペラリニアモーター断面図
【符号の説明】
【０００６】（Ａ）反発用永久磁石
（Ｂ）駆動モーター
（Ｃ）プロペラ
（Ｄ）フレーム
（Ｅ）回転軸
【手続補正３】
【補正対象書類名】図面
【補正対象項目名】全図
【補正方法】変更
【補正の内容】
【図１】
2018143082.tif 000004
【図２】
2018143082.tif 000005
【手続補正書】
【提出日】平成30年2月15日(2018.2.15)
【手続補正１】
【補正対象書類名】図面
【補正対象項目名】全図
【補正方法】変更
【補正の内容】
【図１】
2018143082.tif 000006
【図２】
2018143082.tif 000007
(57)【要約】      （修正有）【課題】モーターの駆動音をホイールと中央軸を無接触状態にし無音にするモータを提供する。【解決手段】ホイール部と中央軸各所に反発しあう様、永久磁石を配置しホイールとその内蔵された中央軸が完全に宙を浮き接触しない。ホイール内部及び中央軸各所に反発しあう様配置された永久磁石（Ｆ）は磁石の反発によるぐらつきを防止する為にハの字もしくはＶ字とする。構造内部に個別に電子制御される電磁石が並べられた電磁石の輪を２連（もしくは３連以上）ホイール側か中央軸側に配置する。電子制御された電磁石のＳ極Ｎ極の切り替えで永久磁石の輪が配置されたホイール部もしくは中央軸を回転制御する。【選択図】図１
2018143081.tif 000002
【特許請求の範囲】
【発明の詳細な説明】
【０００１】本発明はホイール部と中央軸各所に反発しあう様、永久磁石を配置しホイールとその内蔵された中央軸が完全に宙を浮き接触しないように考案した回転モーターです。
【０００２】ホイールと中央軸が無接触なので静音性が高く摩擦がなく抵抗が低いので回転力が向上すると考えられます。
【０００３】構造内部に個別に電子制御される電磁石が並べられた電磁石の輪を２連（もしくは３連以上）ホイール部か中央軸に配置（どちらか配置されないほうは永久磁石がＳ極Ｎ極が交互に配置された磁石の輪）
電子制御された電磁石のＳ極Ｎ極の切り替えで永久磁石磁石の輪が配置されたホイール部もしくは中央軸を回転制御する
電磁石の輪を２連以上にしたのは各電磁石、各電磁石の輪のコントロールで一方向的な高速回転でなくスローな動き、小刻みな動き、回転の反復運動などを緻密にコントロールできないかと考えました。
【０００４】回転するのは電子制御で配線が必要な電磁石の輪が設置されたほうでなく永久磁石の輪が設置されたほうのホイール部か中央軸です。
【発明の効果】
【０００５】小型化できればギアやベルトなど使用せず将来ロボットなどの関節などに利用し人の生活空間でも嫌なモーター音やギヤの音などのないロボットができればと考えました。
（もちろん車やバイクに使用するただの音のしない回転モーターでも）
【０００６】ホイールのパーツ甲、乙それと中央軸各所に反発する永久磁石が取り付けられてる為、このモーター組み立ての困難さを克服するためにホイールパーツ甲、ホイールパーツ乙それぞれに固定台座を用意しそれぞれをボルトで固定
片方に中央軸を差し込み、台座のガイド棒にそわしてプレス的にホイール甲乙を閉じ密封ボルトで絞める組み立て方を提案します。
もちろん開封時もこのやり方でないと危険が予想される。
【０００７】まだまだ構造的、形状的な改良、電子制御の難しさはあると思いますが近年のリニアモーターカーの活躍をみてこの発明も実現可能ではないかと考えます
2018143081.tif 000003
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
ホイール（Ａ，Ｂ）と中央軸（Ｃ）各所に配置された永久磁石（Ｆ）の磁力の反発によりホイール内部の中央軸（Ｃ）が完全に無接触状態で宙を浮く可動モーター（図１
【請求項２】
ホイール部及び中央軸部の永久磁石（Ｆ）の配置
永久磁石（Ｆ）の向きをＶ字、ハの字することで磁石の反発によるグラつきを修正する構造（図１
【請求項３】
リニアホイールモーターのホイール開閉時、磁力の反発から安全に作業する為のホイール甲、乙の固定台座（Ｄ、Ｅ）（図３
【手続補正２】
【補正対象書類名】明細書
【補正対象項目名】全文
【補正方法】追加
【補正の内容】
【発明の詳細な説明】
【技術の範囲】
【０００１】本発明はホイール部と中央軸各所に反発しあう様、永久磁石（Ｆ）を配置しホイールとその内蔵された中央軸（Ｃ）が完全に宙を浮き接触しないように考案した可動モーターに関する（図１
【発明の概要】
【０００２】ホイール内部及び中央軸各所に反発しあう様、永久磁石（Ｆ）を配置し完全にホイール内部の中央軸（Ｃ）がホイール内部で宙を浮き無接触状態になる。  （図１
【０００３】ホイール内部及び中央軸各所に反発しあう様配置された永久磁石（Ｆ）は磁石の反発によるぐらつきを防止する為にハの字もしくはＶ字とする。（図１
【０００４】構造内部に個別に電子制御される電磁石が並べられた電磁石の輪を２連（もしくは３連以上）ホイール側（Ｇ）か中央軸側（Ｈ）に配置（どちらか配置されないほうは永久磁石がＳ極Ｎ極が交互に配置された同径の磁石の輪）
電子制御された電磁石のＳ極Ｎ極の切り替えで永久磁石の輪が配置されたホイール部もしくは中央軸を回転制御する。
電磁石の輪を２連以上にしたのは、各電磁石の輪のコントロールで一方向的な高速回転でなくスローな動き、小刻みな動き、回転の反復運動などを緻密にコントロールできないかと考えました。
【０００５】回転するのは配線が必要な電子制御された電磁石の輪が設置されたほうでなく永久磁石の輪が設置されたほうのホイール部か中央軸です。
【０００６】ホイールのパーツ甲、乙それと中央軸各所に反発する永久磁石が取り付けられてる為、このモーター組み立ての困難さを克服するためにホイール甲（Ａ）、ホイール乙（Ｂ）それぞれに固定台座（Ｄ，Ｅ）を用意しそれぞれをボルト（Ｉ）で固定
片方に中央軸を差し込み、台座のガイド棒にそわしてプレス的にホイール甲乙を閉じ密封ボルト（Ｊ）で絞める組み立て方を提案します。
もちろん開封時もこのやり方でないと危険が予想される。（図３
【図面の簡単な説明】
【０００７】
【図１】リニアホイールモーター断面図
【図２】中央軸を示す図である。
【図３】固定台座によるリニアホイールモータ密封工程図
【符号の説明】
【０００８】    （Ａ）  ホイール  甲
（Ｂ）  ホイール  乙
（Ｃ）  中央軸
（Ｄ）  固定台座  甲
（Ｅ）  固定台座  乙
（Ｆ）  反発用永久磁石
（Ｇ）  電磁石  もしくは  永久磁石
（Ｈ）  永久磁石  もしくは  電磁石
（Ｉ）  ホイール台座固定ボルト
（Ｊ）  ホイール甲、乙密封ボルト
（Ｋ）  固定台座ガイド棒
【手続補正３】
【補正対象書類名】図面
【補正対象項目名】全図
【補正方法】変更
【補正の内容】
【図１】
2018143081.tif 000004
【図２】
2018143081.tif 000005
【図３】
2018143081.tif 000006
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
ホイール（Ａ，Ｂ）内の中央軸（Ｃ）のグラつきを低減する為に
ハの字、Ｖの字に配置された各反発用の永久磁石（Ｆ）の反発により
ホイール内部の中央軸（Ｃ）が完全に無接触状態で宙を浮く
可動モーター
【請求項２】
［請求項１］にかかる可動モーターのホイール（Ａ，Ｂ）開閉時、
磁力の反発から安全に作業する為の
ホイール甲、乙の固定台座（図３
(57)【要約】      （修正有）【課題】「風力」、「水力」の代わりに先頭ユニットの駆動モーターと「磁力」で「連動回転」を生み出し安定した電力を発電し続ける発電機を提供する。【解決手段】発電するユニットは従来からある永久磁石とコイルを使った単純な発電システムを多層化する。支柱に固定されたコイル層と円盤に永久磁石が配列された回転部で構成され、それを１つのユニットとする。先頭ユニットのみコイル層が固定された支柱の上部に駆動用のモーターが設置される。回転部は上部、中部、下部にＳ極、Ｎ極交互に並べられた永久磁石が側面に配列された円盤と、その間に回転によってコイル層と発電する永久磁石が円形に配置された円盤で構成される。駆動用モーターのついた先頭ユニットと、あとはモーターのついていないユニットを連動回転磁力盤の磁力の影響する位置に配置する。【選択図】図３
2018143080.tif 000002
【特許請求の範囲】
【発明の詳細な説明】
【技術分野】
【０００１】本発明は従来からある永久磁石とコイルを使った単純な発電システムを多層化。上部、中間部、下部に設置した他回転軸連動磁石盤なるものをとりつけ１つのユニット化を構築。そのユニットを他回転軸連動磁石盤の磁力が影響する距離で並べ先頭のユニットのみモーターなどで駆動。すると隣のユニットの他回転軸連動磁石盤が先頭の他回転軸連動磁石盤の磁力に影響され回転して発電する発電機です
【発明概要】
【０００２】構造として支柱に固定されたのコイル部。
コイルと発電する磁石盤と隣のユニットと連動して回転する為の他回転軸連動磁石盤が上部、中間部、下部に取り付けられた回転軸部の２つの部位で構成されてます。  その２つを組み合わせて１つのユニットとする
【０００３】上部、中間部、下部の他回転軸連動磁石盤の間にコイル層・磁石盤・コイル層と磁石盤をコイル層ではさむ構造で回転軸の磁石盤が回ると発電する。
【０００４】他回転軸連動磁石盤は円形の盤の側面に永久磁石をＳ極Ｎ極が交互に貼り付けられた円盤です。
【０００５】上記のユニットを他回転軸連動磁石盤の磁力が影響する距離で配列（５ユニットでも１０ユニットでも）
先頭のユニットのみバッテリースターターでモーターを回転させる。すると先頭ユニットの他回転軸連動磁石盤の磁力の影響で隣に設置したユニットの他回転軸連動磁石盤が連動回転しだします。  さらにその隣のユニットの他回転軸連動磁石盤が連動回転し他ユニットも次々回転しだして発電しだします。
【０００６】ある程度各ユニットが発電するとバッテリスターターの電力をカットし連動回転盤発電機のみの電力でモーターを可動し先頭のユニットを回転し続けて他ユニットを連動回転させ発電し続ける。
【発明の効果】
【０００７】一か所の駆動で初動時のモーターを可動させるバッテリーの電力のみであとは外部からの電力供給なしで電気を発電し続けるのが利点である。
他のユニットは先頭のユニットの磁力のみで連動回転する。
先頭駆動モーターユニットは増やす必要があるかもしれないがユニットも場所が許す限り無限に設置できる。ビルのフロアでも設置可能。電力供給がない極地でも単純な機構ゆえ安価でメンテナンスしやすい夢の発電機
2018143080.tif 000003
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
（図２）回転盤上部、中部、下部に取り付けられた連動回転磁力盤（Ａ）の永久磁石（Ｆ）の磁力により隣接するユニットの連動回転磁力盤（Ａ）が連動して回転。（図３
先頭ユニット（図１）以外の発電ユニットは磁力の力だけで連動回転し発電をする機構。（図３
【請求項２】
（図１）の先頭ユニットのみモーターがついてますが各ユニットが発電しだすと各ユニットが発電した電力だけでモーターを可動。
外部からの電力を必要とせず発電し続けるシステム。
【手続補正２】
【補正対象書類名】明細書
【補正対象項目名】全文
【補正方法】変更
【補正の内容】
【発明の詳細な説明】
【技術分野】
【０００１】本発明は従来からある永久磁石とコイルを使った「回転」で発電する装置。その「回転」を（図３）のように磁力の力で「連動回転」させる発電機。
【発明の概要】
【０００２】発電するユニットは従来からある永久磁石とコイルを使った単純な発電システムを多層化。
支柱（Ｄ）に固定されたコイル層（Ｇ）と円盤に永久磁石が配列された回転部（図２）で構成され、それを１つのユニットとする。
先頭ユニットのみコイル層が固定された支柱（Ｄ）の上部に駆動用のモーターが設置される。（図１）
【０００３】回転部は上部、中部、下部にＳ極、Ｎ極交互に並べられた永久磁石（Ｆ）が側面に配列された円盤（Ａ）。
その間に回転によってコイル層（Ｃ）と発電する永久磁石（Ｅ）が円形に配置された円盤（Ｂ）で構成される。（図２）
【０００４】駆動用モーターのついた先頭ユニット。あとはモーターのついていないユニットを連動回転磁力盤（Ａ）の磁力の影響する位置に配置（図３
【０００５】各ユニットが発電しだすまでは外部からの電力で先頭ユニットのモーターを駆動させ、各ユニットが発電しだせばその電力でモーターを駆動。
以後、外部からの電力を必要とせず、先頭ユニットの回転でその他のユニットを磁力の力のみで連動回転し発電する。（図３
【図面の簡単な説明】
【０００６】
【図１】先頭ユニット全体図
【図２】回転部を示す図
【図３】並列する他ユニットと連動回転を示す図（コイル層省略
【符号の説明】
【０００７】（Ａ）連動回転磁力盤
（Ｂ）発電用磁石盤
（Ｃ）駆動用モーター
（Ｄ）支柱
（Ｅ）発電用永久磁石
（Ｆ）連動回転用永久磁石
（Ｇ）コイル層
【手続補正３】
【補正対象書類名】図面
【補正対象項目名】全図
【補正方法】変更
【補正の内容】
【図１】
2018143080.tif 000004
【図２】
2018143080.tif 000005
【図３】
2018143080.tif 000006
(57)【要約】    【課題】本発明の目的は、植物性素材を用いた、珍味食品様食品を提供することにある。     【解決手段】所定の濃度で調製した大豆蛋白質素材による加熱ゲルを味噌を含む漬け込み液に漬け込むことにより、当初の食感からは想像もつかない、珍味食品様食感を示す素材が得られることを見出し、本発明を完成させた。 【選択図】なし【特許請求の範囲】
【請求項１】
大豆蛋白質素材を１０〜４０質量％含有するスラリーを加熱してゲル化した後、味噌を含有する漬け込み液に３〜２４０時間漬け込むことを特徴とする、珍味食品様食品の製造法。 
【請求項２】
味噌の塩分濃度が７〜２０質量％である、請求項1記載の珍味食品様食品の製造法。 
【発明の詳細な説明】
【技術分野】
【０００１】
本発明は、珍味食品様食品の製造法に関する。
【背景技術】
【０００２】
珍味食品、あるいは珍味と呼ばれる食品の多くは、魚介類や畜肉を用い調製されており、植物性素材が用いられる例は少ない。たとえば特許文献１には、組織化大豆蛋白からなる植物性珍味食品について開示されている。
【０００３】
味噌に各種素材を漬け込むことで風味改善等が行なわれる。たとえば特許文献２では、食肉を味噌漬けする方法について開示されている。   
【先行技術文献】
【特許文献】
【０００４】
【特許文献１】特開平３−２２９５１号公報
【特許文献２】特公平３−２３１４５号公報
【発明の概要】
【発明が解決しようとする課題】
【０００５】
本発明の目的は、植物性素材を用いた、珍味食品様食品を提供することにある。 
【課題を解決するための手段】
【０００６】
本発明者は、植物性素材を用いた珍味様食品開発のため、鋭意検討を行なった。特許文献１には、組織化大豆蛋白が使用された植物性珍味食品様食品が開示されているものの、組織化大豆蛋白質を使用する場合は食感のレパートリーを広げることが難しかった。
特許文献２では、食肉を味噌漬けする方法について開示されるのみであり、植物性素材を用いた珍味食品様食品開発を動機付ける記載はない。
【０００７】
本発明者は更に鋭意検討を行なった。そうしたところ、所定の濃度で調製した大豆蛋白質素材による加熱ゲルを味噌を含む漬け込み液に漬け込むことにより、当初の食感からは想像もつかない、珍味食品様食感を示す素材が得られることを見出し、本発明を完成させた。 
【０００８】
即ち本発明は、
（１）大豆蛋白質素材を１０〜４０質量％含有するスラリーを加熱してゲル化した後、味噌を含有する漬け込み液に３〜２４０時間漬け込むことを特徴とする、珍味食品様食品の製造法、 
（２）味噌の塩分濃度が７〜２０質量％である、（１）記載の珍味食品様食品の製造法、
に関するものである。 
【発明の効果】
【０００９】
本発明によれば、植物性素材を用いた、植物性珍味食品様食品を提供することができる。 
【発明を実施するための形態】
【００１０】
本発明で言う珍味食品とは、主に魚介類や畜肉素材を原料として用い、歯ごたえのある食感を有し、比較的濃い味付けがされたものをいう。具体的には、素材としてはイカや貝類、畜肉が用いられ、多くはそれらが乾燥され、更に濃く味付けされたものである。本発明では、このような食品を、植物性素材を用い調製することを課題とする。即ち、植物性素材を用いた食品であって、珍味食品と称される食品が有する程度の食感を有し、濃く味付けされたものを、植物性珍味様食品と称する。なお、一般的な珍味食品が有する食感を数値化することは困難であり、本発明においては、官能評価により判断を行なった。具体的な評価方法は実施例に記載した。
【００１１】
本発明でいう大豆蛋白質素材は、大豆に由来する蛋白質素材である。具体的には、分離大豆蛋白質素材、濃縮大豆蛋白質素材、豆乳粉末を挙げることができ、より望ましくは分離大豆蛋白質素材である。好ましい大豆蛋白質素材を使用することで、風味、食感の好ましい植物性珍味様食品を得ることができる。なお、大豆蛋白質素材は市販品を使用することができる。
【００１２】
本発明においては、まず、大豆蛋白質素材を１０〜４０質量％含有するスラリーを調製する。この量は、より望ましくは１５〜３５質量％であり、更に望ましくは１６〜３０質量％である。好ましい量の大豆蛋白質素材を含有させることで、風味、食感の好ましい植物性珍味様食品を得ることができる。
【００１３】
本発明においては、得られたスラリーを加熱して、ゲル化する。具体的には、ケーシングチューブに充填後、ボイルしてもいいし、また、容器に入れて蒸すことでゲル化することもできる。ゲル化の条件は特に問わない。
【００１４】
ゲル化した後、当該ゲルを味噌を含有する漬け込み液に漬け込む。漬け込む時間はサイズによって異なるが３〜２４０時間である必要があり、より望ましくは６〜１９２時間であり、更に望ましくは１２〜１６８時間である。適当な時間漬け込むことで、風味、食感の好ましい植物性珍味様食品を得ることができる。
なお、漬け込みに使用する味噌の塩分濃度は７〜２０質量％であることが望ましく、より望ましくは８〜１８質量％であり、更に望ましくは９〜１５質量％である。適当な塩分濃度の味噌を用いることで、風味、食感の好ましい植物性珍味様食品を得ることができる。
また、味噌の他、砂糖やみりんを追加することもできる。これらの添加により風味を調整することもでき、また、浸透圧が高まることで大豆蛋白質素材のゲルから適度に脱水が起こり、好ましい食感を発現することができる。
以下に実施例を記載する。
【実施例】
【００１５】
大豆蛋白質素材として、不二製油株式会社製「フジプロＦＲ」「フジプロＥ」を使用した。上記大豆蛋白質素材の２０質量％スラリーを調製した。調製には、ロボクープ社製ミキサーを使用した。
得られたスラリーを直径４．８ｃｍのケーシングチューブに充填し、９０℃にて５０分間ボイルした。
流水で冷却した後、ケーシングチューブをはずし、味噌液に漬け込んだ。漬け込み液の組成は以下の通りである。
味噌  １００質量部
砂糖  １３５質量部
みりん  １８０質量部
【００１６】
１４４時間漬け込んだ後、以下に例示した珍味食品の食経験のあるパネラー３名により、以下の基準で評価を行なった。比較例として、漬け込み液に漬け込まなかったゲルを合わせて評価した。
・珍味食品の例示：サザエの味噌漬け。
３点：例示の珍味食品と遜色ない風味、食感を有するもの。
２点：例示の珍味食品とは相違するが、同様傾向の風味、食感を有するもの。
１点：例示の珍味食品とは、風味、食感の傾向が相違するもの。
合議により採点し、２点以上を合格と判断した。
【００１７】
結果
パネラー評価の結果、漬け込み液に漬け込んだもの(実施例）は２点と評価され、合格と判断された。一方、漬け込み液に漬け込まなかったもの（比較例）は１点と評価され不合格であった。
漬け込み液に漬け込んだものは、単に味が付与されるだけではなく、漬け込み液の有する高い浸透圧により、大豆蛋白質素材に由来するゲルが適度に脱水され、珍味食品のような食感発現に寄与していることがうかがえた。
(57)【要約】【課題】大がかりな製造設備や廃水及び廃油処理設備を必要とせず、肥効成分や栄養分を豊富に含む魚粉を低コストで製造可能な魚粉の製造方法を提供する。【解決手段】魚粉の製造方法は、魚類又は魚類の加工残渣と家禽類の卵とを混合し、加熱することを特徴とするものであり、圧搾等により油脂分を分離することなく、栄養分又は肥効成分を豊富に含む粉状の魚粉を得ることができる。したがって、製造設備が簡素化できると共に、製造コストも低減させることができる。【選択図】なし【特許請求の範囲】
【請求項１】
魚類又は魚類の加工残渣と家禽類の卵とを混合し、加熱することを特徴とする魚粉の製造方法。
【請求項２】
前記魚類又は魚類の加工残渣１００重量部に対し、前記家禽類の卵１０〜５０重量部を混合することを特徴とする請求項１に記載の魚粉の製造方法。
【発明の詳細な説明】
【技術分野】
【０００１】
本発明は、安価に製造可能で、肥効成分や栄養分に富んだ魚粉の製造方法に関する。
【背景技術】
【０００２】
魚粉は、魚やその加工残渣（頭、骨、中落ち、鰭、内臓等）を乾燥及び粉砕し、粉状にしたもので、タンパク質等の栄養分を豊富に含んでおり、主に、飼料や有機肥料として用いられている。魚粉は、原料である魚やその加工残渣を煮熟し、圧搾等の方法により、水や油脂分（魚油）を分離後、乾燥し粉状にすることにより製造されている（例えば、特許文献１参照）。煮熟後の原料に不揮発性の油脂分の大部分が残留していると、加熱乾燥しても粉状にならないため、油脂分の分離は不可欠である。そのため、魚粉の製造には、圧搾装置等の大がかりな製造設備が必要となると共に、製造コストや圧搾により発生する汚水及び廃油の処理コストも高価になるという問題があった。更に、圧搾時に分離された水と共に、タンパク質等の水溶性の栄養分が失われるという問題もあった。
【０００３】
例えば、特許文献２には、魚の加工残渣を１０ｍｍ以下に粉砕し、発酵用の微生物及び米ぬかを加えて１８〜４８時間撹拌しながら、発生する発酵熱で乾燥することを特徴とする飼・肥料の製造方法が開示されているが、この方法によると、発酵時に油脂分の一部が分解除去できることが記載されている。
【先行技術文献】
【特許文献】
【０００４】
【特許文献１】特開昭５８−９６６１号公報
【特許文献２】特開２００４−２０８６２８号公報
【発明の概要】
【発明が解決しようとする課題】
【０００５】
しかしながら、特許文献２に記載の飼・肥料の製造方法には、発酵用の微生物の管理の手間を要すると共に、魚粉の製造に長時間を要するという問題があった。
【０００６】
本発明はかかる事情に鑑みてなされたもので、大がかりな製造設備や廃水及び廃油処理設備を必要とせず、肥効成分や栄養分を豊富に含む魚粉を低コストで製造可能な魚粉の製造方法を提供することを目的とする。
【課題を解決するための手段】
【０００７】
前記目的に沿う本発明は、魚類又は魚類の加工残渣と家禽類の卵とを混合し、加熱することを特徴とする魚粉の製造方法を提供することにより上記課題を解決するものである。
【０００８】
本発明に係る魚粉の製造方法において、前記魚類又は魚類の加工残渣１００重量部に対し、前記家禽類の卵１０〜５０重量部を混合することが好ましい。
【発明の効果】
【０００９】
本発明の魚粉の製造方法によると、魚類又は魚類の加工残渣に家禽類の卵を混合し加熱することにより、油脂分を分離することなく粉状の魚粉を得ることができる。そのため、圧搾等による油脂分の分離が不要になる。したがって、製造設備が簡素化できると共に、製造コストも低減させることができる。更に、従来法における、煮熟後の原料の圧搾時に生じる水溶性の栄養分のロスも防ぐことができ、油脂分も多く残留しているため、本発明の魚粉の製造方法により得られる魚粉は、肥効成分や栄養分を豊富に含む有機肥料や飼料として利用可能である。
【発明を実施するための形態】
【００１０】
続いて、本発明を具体化した実施の形態につき説明し、本発明の理解に供する。本発明の一実施の形態に係る魚粉の製造方法（以下、「魚粉の製造方法」又は「製造方法」と略称する場合がある。）は、魚類又は魚類の加工残渣と家禽類の卵とを混合し、加熱することにより、圧搾等による油脂分の分離を行うことなく、粉状の魚粉を得ることを可能にする。
【００１１】
魚粉の原料として用いられる魚類又は魚類の加工残渣としては、魚粉の製造に用いることができる限りにおいて、任意の種類の魚類及びその加工残渣を特に制限なく用いることができる。魚類の加工残渣は、魚類の加工処理で生じる残渣をいい、その具体例としては、頭、骨、中落ち、鰭、内臓等が挙げられる。
【００１２】
魚粉のもう一つの原料である家禽類の卵（以下、「卵」と略称する場合がある。）は、ニワトリ、アヒル、ガチョウ、カモ、シチメンチョウ等の任意の家禽類の卵を特に制限なく用いることができるが、入手が容易で安定して大量供給が可能なニワトリの卵（鶏卵）が特に好ましく用いられる。鶏卵としては、養鶏場等で発生する規格外品、洗卵時に割れたもの等が、安価に入手可能である点や廃棄物の有効利用という点に鑑みて特に好ましい。卵は、卵殻等を除去する必要は必ずしもなく、全卵のまま用いることができる。卵の好ましい配合量は、魚類又は魚類の加工残渣１００重量部に対し、１０〜５０重量部である。
【００１３】
魚類又は魚類の加工残渣と卵は、加熱及び混合を行うことが可能な任意の食品製造装置中で混合し、加熱することにより、タンパク質の変性、乾燥等を行わせ、粉状の魚粉とする。魚粉の製造に用いることができる装置は、上述のとおり原料の混合及び加熱を行うことが可能な任意の装置を特に制限なく用いることができる。油脂分の除去は不要であるため、プレス機等の圧搾装置を用いる必要はなく、乾燥までの処理を単一の装置内で行うことが可能である。加熱温度及び加熱時間は、原料の水分含量等により適宜調節され、必ずしも一義的に定めることはできないが、加熱温度は、例えば８０℃以上１００℃以下であり、加熱時間は、例えば５〜８時間である。加熱の間に、スクリュー等で原料の混合を併せて行うことが好ましい。
【００１４】
このようにして得られる魚粉は、圧搾処理により分離される油脂分や、水分と共に流失する水溶性の栄養分が残存した状態で粉状の性状を呈しており、従来法により得られる魚粉に比べ、各種の栄養分、特に卵に含まれるタンパク質及び油脂分を豊富に含んでいる。そのため、家畜類や養殖魚の栄養分を豊富に含む飼料又は肥効成分を豊富に含む有機肥料として好適に用いることができる。
【実施例】
【００１５】
次に、本発明の作用効果を確認するために行った実施例について説明する。
実施例１：魚市場や鮮魚店で生じる魚類の加工残渣１００重量部に対し、廃鶏卵５０重量部を混合し、市販のフィッシュミール用クッカー中で混合しながら、１００℃で８時間加熱処理を行うことにより、粉状の魚粉を得た。廃鶏卵を混合せずに、同様の条件下で魚類の加工残渣を加熱処理した場合には、分離した油脂分のために、加熱により水分が除去された後も粉状にならず、粥状にしかならなかった。
(57)【要約】      （修正有）【課題】高速に回転する電磁力パルス発生盤を提供する。【解決手段】高速回転する一列に並べられた個々に電子制御された電磁石からフラッシュ的に磁力パルス（Ｆ）を発生させ、磁力に反応する対象物（Ｅ）を生きているかの如く自由に動かせる装置。【選択図】図３
2018143731.tif 000002
【特許請求の範囲】
【発明の詳細な説明】
【技術分野】
【０００１】本発明は従来からある回転盤上のフラッシュするＬＥＤの効果で光の絵がアニメーション的に動く玩具のＬＥＤの部分を電磁石に置き換え回転盤上の磁力に影響する対象物を自由に電子制御プログラムで動かします。
回転する円盤の本体に個々に電子制御された電磁石を一列に配置。その回転盤の上に薄い板をのせ動かしたい対象物（磁力に反応するもの）を置く。
回転盤を高速回転。  一列に並べられた個々の電磁石をプログラムに合わせフラッシュ的に磁力を発生させ回転盤、薄い板の上の対象物を板上で自由に動かす装置です。
【発明概要】
【０００２】回転する本体は円盤状でも円柱上でも円錐状でも構いません
回転する本体に電磁石の帯を一列に（制御できるなら何列でも）設置もちろん電磁石の個数も幾つでも増やしてもよく電磁石の帯の長さも自由です。回転する本体の上で電磁力パルスを発生させ対象物にフラッシュ的に電磁力を浴びせ磁力で対象物を動かします。
【０００３】イメージ的に回転盤の回転方向しか動かなそうですが電磁力パルスの発生させる位置で、対象物を回転盤の回転方向の逆方向にも移動さすことも可能だと考えます。
【０００４】対象物の底に永久磁石をつけ反発する電磁力パルスをあてることにより対象物を浮かすことも可能だと考えます。
【発明の効果】
【０００５】イメージ的には回転盤上にチェスの盤を表現し磁力に反応するよう細工した複数のチェスの駒がチェス盤の上を生きてるように動き回る装置というのが一例です。
他には研究施設で直に触れれないケースにはいった対象物をケース外に設置したタッチパネルを指でなぞりながら動かしていく装置など考えられそうです。
2018143731.tif 000003
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
高速回転している回転盤（Ａ）の上に薄い板（Ｄ）を設置し。
その板の上に磁力に反応する対象物（Ｅ）を置く。
回転盤（Ａ）の上に一列に並べられた個々に電子制御された電磁石（Ｂ）をフラッシュ的に磁力パルス（Ｆ）を発生させ対象物（Ｅ）を盤上で自由に動かす装置（図３
【手続補正２】
【補正対象書類名】明細書
【補正対象項目名】全文
【補正方法】変更
【補正の内容】
【発明の詳細な説明】
【技術分野】
【０００１】本発明は従来からある回転盤上のフラッシュするＬＥＤの効果で光の絵がアニメーション的に動く玩具のＬＥＤの部分を電磁石に置き換え回転盤上の磁力に影響する対象物を自由に電子制御プログラムで動かします。
回転する円盤の本体に個々に電子制御された電磁石を一列に配置。その回転盤の上に薄い板をのせ動かしたい対象物（磁力に反応するもの）を置く。
回転盤を高速回転。  一列に並べられた個々の電磁石をプログラムに合わせフラッシュ的に磁力を発生させ回転盤、薄い板の上の対象物を板上で自由に動かす装置です。
【発明概要】
【０００２】回転する本体は円盤状でも円柱上でも円錐状でも構いません
回転する本体に電磁石の帯（Ｃ）を一列に（制御できるなら何列でも）設置
もちろん電磁石（Ｂ）の個数も幾つでも増やしてもよく電磁石の帯（Ｃ）の長さも自由です。回転する本体の上で電磁力パルス（Ｆ）を発生させ対象物にフラッシュ的に電磁力を浴びせ磁力で対象物（Ｅ）を動かします。
（図３
【０００３】イメージ的に回転盤（Ａ）の回転方向しか動かなそうですが電磁力パルス（Ｆ）の発生させる位置で、対象物（Ｅ）を回転（Ａ）の回転方向の逆方向にも移動さすことも可能だと考えます。
【０００４】対象物の底に永久磁石をつけ反発する電磁力パルスをあてることにより対象物を浮かすことも可能だと考えます。（図４
【発明の効果】
【０００５】イメージ的には回転盤上にチェスの盤を表現し磁力に反応するよう細工した複数のチェスの駒がチェス盤の上を生きてるように動き回る装置というのが一例です。
他には研究施設で直に触れれないケースにはいった対象物をケース外に設置したタッチパネルを指でなぞりながら動かしていく装置など考えられそうです。
【図面の簡単な説明】
【０００６】
【図１】電磁石の帯（Ｃ）が取り付けられた回転盤（Ａ）の図
【図２】回転盤の外観図
【図３】高速回転する電磁石の帯（Ｃ）が取り付けられた回転盤（Ａ）が磁力パルス（Ｆ）を発生させ、板（Ｄ）の上の磁力に反応する対象物（Ｅ）が磁力パルスによって自由に動くイメージ図
【図４】対象物（Ｅ）の底面に永久磁石を取り付け反発する磁力パルスで浮遊しながら板（Ｄ）の上を自由に動くイメージ図
【符号の説明】
【０００７】（Ａ）回転盤
（Ｂ）個々に電子制御された電磁石
（Ｃ）電磁石の帯
（Ｄ）板
（Ｅ）対象物
（Ｆ）磁力パルス
【手続補正３】
【補正対象書類名】図面
【補正対象項目名】全図
【補正方法】変更
【補正の内容】
【図１】
2018143731.tif 000004
【図２】
2018143731.tif 000005
【図３】
2018143731.tif 000006
【図４】
2018143731.tif 000007
(57)【要約】      （修正有）【課題】従来の構造物は、取付金具であるボルトを締めたり緩めたりして組み立てたり分解する常設の固定物であり移動や設置が大変である。簡単に固定・組み立てでき、分解もできる構造物の支柱体を提供する。【解決手段】組み立てや分解、移動や設置も簡単にできる筒形開閉固定支柱１と固定板３と柱７からなる支柱体である。平板を筒形開閉固定支柱１とし、固定部・開閉部４・取り付け部５を設けたＬ形板を柱７の上下全面に固定した筒形開閉固定支柱１で、Ｌ形板に設けた機能を活用することで、多様な構造を形成できる。平板全ての材料を使用でき、部材の選択や、部材の組み合わせや、筒形開閉固定支柱１に柱７や脚を挿入したり、様々な利用で柱本来の上部の荷重を支える強化も計れる。軽く・丈夫で・安価でリサイクルもでき、折り畳んだり、保護ができ、安全で、ファッション性、創意工夫で、それぞれのアイデアの発想に寄与できる構造物の支柱体である。【選択図】図２
2018143733.tif 000002
【特許請求の範囲】
【請求項１】
開閉固定支柱の筒形に柱や脚を挿入でき、抜き穴の固定板を柱の頭部よりはめ込み、開閉固定支柱を直立に固定・組み立てでき、挿入した柱を抜き取ると、分解もできる。開閉固定支柱と固定板や柱は無数で多様な構造物の支柱体が構成できる。
柱・支柱を兼ね備えた開閉固定支柱で、筒形の面に、固定部・開閉部・取り付け部の機能を設けたＬ形板の取り付け部に、囲い板を接着又は固定でき、箱形・簡易ボックス、建築物や家具類にも利用できる支柱体である。
【請求項２】
平板を筒形の柱とし、平板全ての材料を使用でき、部材の選択や部材の特性や部材の組み合わせや筒形に柱を挿入もでき、様々な利用で、柱本来の上部の荷重を支える強化も計れる。支柱を折り畳むことができ、柱の保護もでき、安全で、リサイクルもできる。
【発明の詳細な説明】
【技術分野】
【０００１】  この発明は、筒型の開閉固定支柱に柱や脚を挿入でき、開閉固定支柱と固定板や柱を無数に組み合わせができ、多様な構造物の支柱体が構成できる。
【背景技術】
【０００２】  従来の組み立て構造は、固定部の金具を締め付けたり、ゆるめることで組み立てや分解できる。
【先行技術文献】
【０００３】  柱の筒形に柱を挿入し、固定板をはめこむことで組み立て出来る。柱を抜き取ることで分解できる。
【特許文献１】移動電源支柱
【非特許文献１】開閉固定支柱  開閉固定支柱と固定板
【発明の概要】
【発明が解決しようとする課題】
【０００４】  従来、構造物は取付金具であるボルトを締めたり緩めたりして組み立てたり分解する。ほとんどが常設で固定物であり移動や設置が大変である。
本発明は、以上のような不便を無くす為になされたものである。
【課題を解決するための手段】
【０００５】［図−３］  開閉固定支柱で（１）の筒形である。
［図−２］  の固定板（３）の上下に（１）の筒形開閉固定支柱を（２）の抜き穴に合わせて（７）の柱を［図−３］（１）の筒形に挿入し［図−１］の固定板を［図−２］の（３）の状態に（１）の筒形固定支柱を直立に固定でき［図−２］の支柱体が構成できる。
筒形に柱を挿入、抜き取ることで、組み立て、分解できる。
本発明は以上の構造による支柱体である。
【発明の効果】
【０００６】  平板を筒形の柱とし、固定部・開閉部・取り付け部を設けたＬ形板を柱の角を中心とし、柱の全面に固定した開閉固定支柱で、筒形に柱を挿入し、固定板をはめ込むことで直立に固定・組み立てでき、抜き取ることで分解する。
平板全ての材料を使用でき、部材の選択や部材の組み合わせや筒形に柱を挿入したり、様々な利用で柱本来の上部の荷重を支える強化も計れる。
筒形開閉固定支柱と固定板や柱を無数に組み合わせができ、ボックス体としても、多様な構造物を構成できる。
【図面の簡単な説明】
【０００７】
【図−１】  本発明の平面図である。
【図−２】  本発明の正面図である。
【図−３】  本発明の斜視図である。
【図−４】  本発明の正面図である。
【発明を実施するための形態】
【０００８】  以下、本発明を実施するための形態について説明する。
［図−３］  開閉固定支柱で（１）は筒形である。
［図−２］  （３）の固定板の上下に（１）の筒形開閉固定支柱を（２）の抜き穴に合わせて（７）の柱を［図−３］（１）の筒形に挿入し［図−１］の固定板を［図−２］の（３）の状態に（１）の筒形開閉固定支柱を直立に固定でき［図−２］の支柱体が構成できる。
無数の（１）筒形開閉固定支柱や（３）の固定板を［図−２］（７）の柱の頭部より［図−３］の（１）の筒形部や［図−１］（３）の固定板をはめこむことで、多様な構造物の支柱体が形成できる。
［図−３］  （１）の筒形の面に（３）の固定部（４）の開閉部（５）取り付け部を設けた（２）のＬ形板に（６）の囲い板を（５）に接着又は固定できる。
【符号の説明】
【０００９】  １  筒形開閉固定支柱
２  抜き穴
３  固定板
４  開閉部
５  取り付け部
６  囲い板
７  柱
【図１】
2018143733.tif 000003
【図２】
2018143733.tif 000004
【図３】
2018143733.tif 000005
【図４】
2018143733.tif 000006
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
平板を、上部の荷重を支える筒形の支柱に加工し、固定部・開閉部・取り付け部の機能をＬ形板により構成された筒形の開閉固定支柱は、Ｌ形板の表面が平らな支柱として利用でき、Ｌ形板が開閉可能で取り付け部を設けた、支柱の内部に柱を挿入でき、固定板の抜き穴を支柱の頭部よりはめ込み、直立に固定でき、取り付け部に囲い板が固定できることで、組立て・分解のできる複数の筒形開閉固定支柱と、穴あき固定板と、囲い板と、柱で構成された支柱体。
(57)【要約】【課題】本発明は、イヤホンジャックカラビナホルダーを付けて、紛失を防止することができる紛失防止イヤホンジャックカラビナホルダーを提供する。【解決手段】イヤホンジャックにカラビナホルダーを装着することを特徴とする紛失防止イヤホンジャックカラビナホルダー。【選択図】図１
2018143732.tif 000002
【特許請求の範囲】
【請求項１】
イヤホンジャックにカラビナホルダーを装着させて、紛失を防止させることを特徴とする紛失防止イヤホンジャックカラビナホルダー。
【発明の詳細な説明】
【技術分野】
【０００１】  本発明は、イヤホンジャックにカラビナホルダーを付けた、紛失防止イヤホンジャックカラビナホルダーに関するものである。
【背景技術】
【０００２】  従来、大事な指輪など、無くなってしまい困っていた。
【発明の概要】
【０００３】  それには次のような問題点があった。
（イ）大事な指輪など小物を置く場所に悩んでいた。
本発明は、以上の問題点を解決するためのものである。
【課題を解決するための手段】
【０００４】  イヤホンジャックにカラビナホルダーを装着する。
以上を特徴とする紛失防止イヤホンジャックカラビナホルダーである。
【発明の効果】
【０００５】  紛失することを気にしないで指輪を置いておく事ができる。
また、本発明は鍵や小物も一時的に置いておく事ができる。
【図面の簡単な説明】
【０００６】
【図１】  本発明の斜視図である。
【発明を実施するための形態】
【０００７】  以下、本発明の実施の形態について説明する。
（イ）イヤホンジャック（１）カラビナホルダー（２）を装着する。
本発明は以上の構成である。
【符号の説明】
【０００８】  １  イヤホンジャック
２  カラビナホルダー
【図１】
2018143732.tif 000003
(57)【要約】【課題】  すぐに眠れない夜、睡眠（安眠）を促進するためのグッズの音響関係では、電池式で音楽や脈搏音を関かせるものがあるが、音響面で心地よい自然さが求められている点において、満足されるものではない。  また、静かな寝室での使用であることから、これらは、第三者に迷惑をかけることにもなりかねない。【解決方法】  もろもろの課題を解決するには、横寝の状態で聞く、外耳に存在する動脈の脈搏音はリズミカルで心地よく、しかも、自分の音なので違和感もなく最適である。  そのためには、耳孔の斜上に隣接する脈搏部の窪みに、小さな球体を押し当てて、脈搏音を鼓動に伝達させるという方法で達成し得る。【選択図】図１
2018143737.tif 000002
【特許請求の範囲】
【請求項１】
横寝の状態で枕の上に載せて、外耳（耳介から鼓膜までをいう）の中を走る道脈の脈搏を鼓膜に伝達させ、「リズミカルで大きな響きを聞きながら睡眠（安眠）導入を画る」ことを目的として用いるグッズに関するものである。
目的達成となれば、脈搏をキャッチするだけでなく、脈動を鼓膜に伝達させることが可能なグッズということになり、そのためには、耳孔の斜上に隣接する脈搏部の窪みにマッチし得る球体、もしくは、突起状の物を、耳孔が塞がるように押し当て、脈動を外耳道（耳孔の鼓膜に通じる壁）を通して鼓膜に伝達させなければならない。
こうした、睡眠（安眠）促進のために球体、もしくは、突起状の物を耳に押し当てるために作成されたグッズ。
【発明の詳細な説明】
【技術分野】
【０００１】  睡眠（安眠）を促進するためのグッズ
【背景技術】
【０００２】  睡眠（安眠）促進グッズの中でも類似のものとして、枕の耳介近くで、電池式による音楽や脈搏音を聞かせるといった方法のものはあるが、グッズを外耳に当て、直接大きな脈搏音を聞くといった方法のものは存在しない。
【非特許文献】インターネット：鼓動聴取安眠グッズ（鼓動で快眠に誘われる「ネムリエール」）
【発明の概要】
【発明が解決しようとする課題】
【０００３】  すぐに寝れない夜、睡眠（安眠）を促進するためのグッズについては、電池式で音楽や鼓動音を聞かせるものがあり、ストレス等を解消し、気分をほぐし、リラックスさせるということは理にかなっているといえる。
しかし、音は人工的であり、自然の微妙さが求められる点から良好とはいえず、逆効果なりかねない。
また、静かな寝床に音が響き、第三者に迷惑をかける可能性は大で、配慮に欠けることになる。
【問題を解決するための手段】
【０００４】  睡眠（安眠）促進に対して、自分の脈搏が聞ければ、違和感はなく心おだやかになり、これに越したことはない。
そこで、耳孔の斜め上に隣接し存在する動脈の脈搏を外耳道を通して鼓膜に伝達させれば、目的は達成できる。そのためには、横寝の状態で、脈搏部の窪みにマッチした球体、もしくは、突起状の物を押し当てるグッズによって実現する。
【発明の効果】
【０００５】  眠つかれない原因であるストレス等の心おだやかでないといった問題に対して、自分の脈搏をリズミカルに心地よく聞けるということは、違和感はなく、自然さもあり、すばらしい他にはない方法である。また、第三者への迷惑にもならない自分だけが聞くことになる静かなもので、安眠を促すには最適である。
【発明を実施するための最良の形態】
【０００６】  本品の仕様、および、形態は次のとおりである。
１）外耳の脈搏の窪み部に押し当てる球体
材質：  透明塩化ビニール（もしくはＰＥＴ）製射出成形品
形態：○中空の半球体  直径２０ｍｍ、厚み０．３ｍｍ
○固定用フレーム  直径２９ｍｍ
２）半球体を載せる台
材質：  発泡ポリエチレン（倍率３０倍）
形態：  ６０ｍｍ×７０ｍｍ×厚み（左側１０ｍｍ〜右側２５ｍｍ）
【図面の簡単な説明】
【０００７】
【図１】斜め上からの全体の外観図
【図２】外耳の脈搏の窪みに押し当てる半球体図（２−１）  半球体の固定用フレームの図（２−２）
【図１】
2018143737.tif 000003
【図２】
2018143737.tif 000004